(57)【特許請求の範囲】
【請求項１】
固定ネジ用の複数のネジ固定孔と、
切り離し用の開口と、を有し、
円形の一部に開放部を有するＣ型形状であることを特徴とする
固定リング。
【請求項２】
固定ネジ用の複数のネジ固定孔と、
仮止めネジ用の仮止め孔と、を有し、
円形の一部に開放部を有するＣ型形状であり、
内側の前記仮止め孔に対応する位置に、仮止めマークを設けたことを特徴とする
固定リング。
【請求項３】
固定ネジ用の複数のネジ固定孔と、
底板と、
前記底板の内側に立設された内側側壁と、
前記底板の外側に立設された外側側壁と、を有し、
円形の一部に開放部を有するＣ型形状であり、
目安孔が前記底板に設けられていることを特徴とする
固定リング。
【発明の詳細な説明】
【技術分野】
【０００１】
本発明は、スプリンクラヘッドや、パッケージ型自動消火設備における消火薬剤の放出口の天井への取り付け等に関するものである。
【背景技術】
【０００２】
消火設備設置の作業者は、スプリンクラヘッドやパッケージ型自動消火設備における消火薬剤の放出口を、天井裏の固定部材により固定して天井板に空けた穴から室内に露出させて設置することが多い。しかし、固定する高さの調整や穴の位置との調整を行わなくてはならず、施工に時間と技術を要する。そこで、接続する配管を柔軟性のある樹脂性としたうえで天井板を利用してスプリンクラヘッド等を固定すると、設置の際の位置合わせが容易となり施工しやすい。また、このようなスプリンクラヘッドの取り付け手段では、地震等の際に配管等が損傷することがない。このような消火設備としては、特許文献１の固定装置を用いることができる。
【０００３】
特許文献１の固定装置はスプリンクラヘッドを容易に天井板へ取り付けることができるものであるが、円筒部やアーム等の構造があるためにややコストがかかってしまう。また、立体的な構造を有しているために輸送時にスペースを要するものであった。
【０００４】
＜従来の取り付け＞
そこで、スプリンクラヘッドを取り付けた取付プレートを天井板にネジ止めする手段が考えられる。  図１は、従来における、スプリンクラヘッド１１１を天井板１２１に固定した状態を示す図であり、図１（ａ）は横方向から見た図である。取付プレート１０１、天井板１２１、木片１３１、ナット１１４は切断部端面で記載している。また、図１（ｂ）は天井板１２１の上方から取付状態を見た図である。図１（ａ）に示すように、取付プレート１０１の中央にはスプリンクラヘッドを取り付ける取付口１０２が設けられ、外周付近には複数のネジ孔１０３が設けられている。また、取付プレート１０１はテーパー部１０４によって窪みを有しており、取り付けたスプリンクラヘッドが天井板から室内へ突出しない。
【０００５】
設置作業者は、配管１１５の先端に設けられたスプリンクラヘッド１１１を取付プレート１０１の取付口１０２に通し、固定したうえで、取付プレート１０１をネジ孔１０３により天井板１２１に固定する。しかし、天井板１２１は防火性の観点から石膏ボード等を材質としている場合が多く、固定ネジが抜けやすい。これを防ぐため、まず天井板１２１の上面に複数の木片１３１を図１（ａ），図１（ｂ）の位置に仮止めしておく。そして、取付プレート１０１を室内側から天井板１２１に接触させた状態で、図１（ａ）のように取付プレート１０１のネジ孔１０３から天井板１２１と木片１３１に固定ネジ３１を螺入することによって固定していた。
【先行技術文献】
【特許文献】
【０００６】
【特許文献１】特開平１０−２６３１０６号公報
【発明の概要】
【発明が解決しようとする課題】
【０００７】
しかし上記の取り付けでは木片１３１を複数用いるため、仮止めのネジを多く使用しなくてはならない。たとえば、図１の取付プレート１０１では４カ所のネジ孔１０３を備えているため、図１（ｂ）のように木片１３１は４つ必要となる。一つの木片１３１を仮止めするために２カ所をネジで止めるとすると、仮止めのためにネジを８本使用しなければならない。そのため、施工の際に作業者の手間を要した。また、木片１３１は、小さいものを使用すると消火薬剤を散布する時や、地震の時などにスプリンクラヘッド１１１から伝わる力が分散されずに、天井板１２１が割れやすくなる。逆に大きいものを使用すると、力は分散され天井板１２１への負担は軽減されるが、天井板１２１の上部にある野縁等に干渉しやすくなる。さらに、木ネジを用いた仮止めの際には、木片１３１に上向きに力を加えてネジを螺入しなければならない。木片１３１には仮止め用の孔は開いておらず、仮に設置前に開けておくとしても天井板１２１越しに孔の位置を把握することは難しい。
【課題を解決するための手段】
【０００８】
本発明は、上述した課題を解決するためのものであり、以下の構成を有する。
【０００９】
（１）本発明は、固定ネジ用の複数のネジ固定孔を有し、円形の一部に開放部を有するＣ型形状であることを特徴とする固定リングである。
【００１０】
本発明によって、Ｃ型形状の開放部を利用して、天井板の穴よりも直径が大きい固定リングを室内から天井板の上部に入れ込むことができる。そして、天井板の穴に沿った形状であるため、野縁等の天井板上部の構造物に干渉する可能性が少ない。しかも固定リングの取付面と取付プレートとの間で広い面積により天井板を挟むことができるため、スプリンクラヘッド等に力が加わっても天井板が割れにくい。また、仮止めは天井板の１つの穴に対して２カ所程度で行えばよく、施工が容易である。さらに、特許文献１の固定装置と比べると立体的でないため、搬送等の際に場所をとらない。本発明は特に、スプリンクラヘッド設置のための取付プレートを天井板へ取り付ける際に好適である。
【００１１】
（２）また、本発明は、前記固定リングの内側に、前記固定リングの取付面を越えて突出した突出部を有する、複数の取付ガイドを備えたことを特徴とする（１）の固定リングである。
【００１２】
本発明によって、突出部を使用して固定リング取り付けの位置決めができるため、施工しやすい。また、ネジを螺入する位置の目印を天井板の下面につける際に、天井板穴内面に取付ガイドが接することにより天井穴に対して正確な位置となるため、天井板に目印をつけやすくなる。
【００１３】
（３）また、本発明は、切り離し用の開口を有することを特徴とする（１）または（２）の固定リングである。
【００１４】
本発明によって、野縁近くに天井板の穴を開けた場合でも、固定リングの野縁と干渉する部分を切り離すことで取付プレートの固定のために使用することができる。
【００１５】
（４）また、本発明は、仮止めネジ用の仮止め孔を有し、前記固定リングの内側において、前記仮止め孔に対応する位置に仮止めマークを設けたことを特徴とする（１）乃至（３）のいずれかの固定リングである。
【００１６】
本発明によって、固定リングを仮止めする際にネジを螺入する位置を仮止めマークにより確認することができ、施工が容易になる。
【００１７】
（５）また、本発明は、底板と、前記底板の内側に立設された内側側壁と、前記底板の外側に立設された外側側壁と、を備え、目安孔が前記底板に設けられていることを特徴とする（１）乃至（４）のいずれかの固定リングである。
【００１８】
本発明によって、ネジを螺入する目安となる目印を天井板の下面につける際に、深さの浅い目安孔を利用することができる。ネジ固定孔と仮止め孔はネジを固定するために厚肉部に設けられているので孔が深い。そのため、ネジ固定孔や仮止め孔を利用してネジの目印をつける場合には、筆記具の芯を伸ばすなどして先端が細長い筆記具を用いなければならない。しかし、本発明では、底板に設けられた深さが浅い目安孔を天井板に密着させることにより、一般的な筆記具を用いて容易に天井板に目印をつけることができる。
【発明の効果】
【００１９】
本発明によれば、天井板に開けた天井穴のように板に空けた穴の近傍に固定ネジによって容易に部材を取り付けることができる。
【図面の簡単な説明】
【００２０】
【図１】従来における、スプリンクラヘッド１１１を天井板１２１に固定した状態を示す図。
【図２】本発明の実施例１における固定リング１の平面図。
【図３】本発明の実施例１における固定リング１の切断部端面図。
【図４】本発明の実施例１における固定リング１を天井板１２１に固定する工程を示す図。
【図５】本発明の実施例１における固定リング１を用いて、スプリンクラヘッド１１１を天井板１２１に固定した状態を示す図。
【図６】本発明の実施例２における固定リング１１の平面図。
【図７】本発明の実施例２における固定リング１１の切断部端面図。
【図８】本発明の実施例２における固定リング１１を天井板１２１に固定する工程を示す図。
【図９】本発明の実施例２における固定リング１１を用いて、スプリンクラヘッド１１１を天井板１２１に固定した状態を示す図。
【発明を実施するための形態】
【００２１】
以下、本発明の実施の形態を、図面に基づいて説明する。ただし、以下で説明する本実施形態は、あらゆる点において本発明の例示に過ぎない。本発明の範囲を逸脱することなく種々の改良や変形が行われてもよい。つまり、本発明の実施にあたって、実施形態に応じた具体的構成が適宜採用されてもよい。
なお、説明の便宜のため、固定リング１、１１を設置した状態での上下方向を「上下」と称することとする。また、固定リング１、１１の中心方向を「内側」、固定リング１、１１の中心から離れる方向を「外側」とし、固定リング１、１１の中心と同心円に沿った方向を「円周方向」とする。
【実施例１】
【００２２】
＜固定リング１の構造＞
図２は、本発明の実施例１における固定リング１の平面図である。固定リング１は樹脂製であり、開放部２を有したＣ型の形状を有している。Ｃ型形状の内側には内側側壁３が、外側には外側側壁４が設けられ、間を中板５で接続している。内側側壁３と外側側壁４の間には６カ所の厚肉部６が設けられ、それぞれの厚肉部６の中心にはネジ固定孔７または仮止め孔８が設けられている。ネジ固定孔７は、図２に示した固定リング１おける上下左右の十字の方向に全部で４カ所に設けられている。また、仮止め孔８は、図２に示した固定リング１おける右上と左下の方向の、ネジ固定孔７に挟まれた２カ所に設けられている。なお、ネジ固定孔７は、取付プレート１０１を天井板１２１に固定するために用いられ、仮止め孔８は固定リング１を天井板１２１の上面に仮止めするために用いられるが、ネジ固定孔７と仮止め孔８は位置が違うだけで構造は同じである。また、固定リング１は表裏が同じ構造を有しており、どちらの面も同じように使用できる。
【００２３】
図３は、本発明の実施例１における固定リング１の切断部端面図である。図３(ａ)は、図２のＡ−Ａ線における切断部端面図を、図３（ｂ）は、Ｂ−Ｂ線における切断端面図を示す。図３（ａ）に示すように、Ａ−Ａ線の部分では、内側側壁３と外側側壁４が中央部を中板５で接続したＨ型の構造を有している。
【００２４】
また、図３（ｂ）は厚肉部６での切断部端面図であり、中心を貫いてネジ固定孔７が設けられている。ネジ固定孔７の入り口は、固定リング１の両面においてネジが入りやすいようにテーパー状に形成されている。また、ネジ固定孔７の内部には雌ネジは形成されていない。仮止め孔８の構造は、図３（ｂ）のネジ固定孔７と同様である。
【００２５】
＜固定リング１による取り付け＞
図４は、本発明の実施例１における固定リング１を天井板１２１に仮止めするまでの工程を示す図である。図４（ａ）は、本発明の実施例１における固定リング１により、ネジを螺入する場所の目印をつける工程の断面図であり、図４（ｂ）は固定リング１を室内から天井板１２１の上部へ挿入する工程を示す図であり、図４（ｃ）は固定リング１を天井板１２１に仮止めする工程を示す図である。図４（ａ）、図４（ｃ）では固定リング１と天井板１２１を、図４（ｂ）では天井板１２１を切断部端面図で記載している。
【００２６】
固定リング１を取り付ける際には、まず、スプリンクラヘッド１１１の設置位置となる天井板１２１に円形の天井穴１２２を開ける。開ける天井穴１２２の直径は取付プレート１０１の直径よりも小さく、テーパー部１０４の外径よりも大きく、固定リング１の内側側壁３の直径より小さい。そして、図４（ａ）に示されているように、天井板１２１へ下方から天井穴１２２を囲むように固定リング１を押し当てた状態で、ネジ固定孔７と仮止め孔８に筆記具１４１の芯を伸ばして差し込み、天井板１２１に目印をつける。その結果、天井穴１２２の周辺の６カ所に、ネジ固定孔７と仮止め孔８に対応する目印がつけられる。
【００２７】
次に、図４（ｂ）のように開放部２を利用して固定リング１を天井板１２１の上部へ挿入する。固定リング１の直径は天井穴１２２よりも大きいが、開放部２があるために天井穴１２２を通して天井板１２１の上側に挿入することができる。その後、天井板１２１下面の仮止め用の目印に仮止めネジ３２を螺入し、天井板１２１の上まで貫通させる。仮止め用の目印は、天井板１２１の下面につけた６カ所の目印のうち、両隣の目印との間隔が狭い２カ所である。そして、図４（ｃ）のように仮止めネジ３２を天井板１２１に貫通させ、固定リング１の２カ所の仮止め孔８に螺入することにより、固定リング１を天井板１２１の上面に仮止めする。
【００２８】
この際、固定リング１は表裏がなくどちらの面でも同じ形状であるため、作業者は表裏を考えずに取り付けることができる。また、ネジ固定孔７および仮止め孔８が点対称に配置されているため、目印をつけた際の固定リング１の位置から１８０度回転して取り付けることもできる。固定リング１は樹脂製であり、仮止めネジ３２のネジ山により仮止め孔８の内部が変形して固定がなされる。
【００２９】
その後、固定リング１を使用して天井穴１２２にスプリンクラヘッド１１１を取り付ける。図５は、本発明の実施例１における固定リング１を用いて、スプリンクラヘッド１１１を天井板１２１に固定した状態を示す図である。固定リング１、取付プレート１０１、天井板１２１、ナット１１４は切断部端面で表し、その他は横面で表している。
【００３０】
スプリンクラヘッド１１１を取り付ける際は、まず、配管１１５が繋がるスプリンクラヘッド１１１を天井穴１２２から室内へ引き出し、ナット１１４で取付プレート１０１の取付口１０２に取り付ける。スプリンクラヘッド１１１は、取付プレート１０１の凸方向側（図５の上方）から取付口１０２へ通す。スプリンクラヘッド１１１の側面には図５のように、下方から上方へ向けて順に雄ネジ１１２と顎部１１３が設けられており、雄ネジ１１２の部分を通過した取付口１０２は、顎部１１３の下面に当接する。この状態で図５の下方からナット１１４を雄ネジ１１２に取り付けることにより、スプリンクラヘッド１１１と取付プレート１０１との取り付けがなされる。
【００３１】
次に、取付プレート１０１の４カ所のネジ孔１０３を、天井板１２１の下面に残った目印に重ね合わせ、固定ネジ３１を螺入する。このとき、固定ネジ３１は天井板１２１を貫通して固定リング１のネジ固定孔７に螺入される。ネジ固定孔７の端部はテーパー状に形成されているため、ネジを螺入する際にネジの先端が少しずれていても、ネジ固定孔７の内部に誘導されて固定がなされる。取付プレート１０１の４つのネジ孔１０３全てに固定ネジ３１を螺入して、スプリンクラヘッド１１１の固定作業が終了する。
【００３２】
取付プレート１０１の固定は、取付プレート１０１の外周部と固定リング１の間に、天井穴１２２周囲の天井板１２１を挟み込むことによってなされる。このとき、取付プレート１０１は固定ネジ３１を介して固定リング１に固定され、固定リング１はリング状の広い面積で天井板１２１に支えられるので、スプリンクラヘッド１１１を強い構造で天井板１２１に取り付けることができる。このように取り付けることにより、スプリンクラヘッド１１１からの消火薬剤の放出時や、地震の時などにおいて、天井板１２１が割れにくい。
【実施例２】
【００３３】
＜固定リング１１の構造＞
図６は、本発明の実施例２における固定リング１１の平面図である。固定リング１１も実施例１の固定リング１と同様に樹脂製であり、開放部１２を有したＣ型形状を有している。Ｃ型形状の内側には内側側壁１３が、外側には外側側壁１４が設けられ、間を底板１５で接続している。内側側壁１３と外側側壁１４の間には７カ所の厚肉部１６が設けられ、それぞれの厚肉部１６の中心にはネジ固定孔１７、仮止め孔１８又は第二仮止め孔１９が設けられている。ネジ固定孔１７は図６における上下左右の十字の方向に全部で４カ所に設けられ、仮止め孔１８は図６の右上と左下に設けられている。また、図６の左上には第二仮止め孔１９が設けられている。
【００３４】
図６のように、ネジ固定孔１７が設けられた厚肉部１６は正方形に形成され、固定リング１１の円周方向に２つの辺を向けている。仮止め孔１８が設けられた厚肉部１６も正方形に形成されているが、固定リング１１の円周方向には２つの角を向けている。また、第二仮止め孔１９が設けられた厚肉部１６は円形に形成されている。このように、厚肉部１６は各孔の用途により形状が異なっており、見た目だけでなく、作業者が指で触れた感触でも違いが判るようになっている。ネジ固定孔１７は取付プレート１０１を天井板１２１に取り付けるために用いられ、仮止め孔１８、第二仮止め孔１９は固定リング１１を天井板１２１の上面に仮止めするために用いられる。しかし、孔の内部構造は全て同じであるため、固定リング１１の仮止めに用いるか、取付プレート１０１を天井板１２１に取り付けるために用いるかは作業者が適宜決めることができる。
【００３５】
また、天井板１２１に目印をつける際の目安孔として、底板１５に固定目安孔２７と仮止め目安孔２８が、隣り合う厚肉部１６の中間位置に設けられている。仮止め目安孔２８の孔の形は、仮止め孔１８のある厚肉部１６の形と同様に円周方向に角を向けた正方形をしている。固定目安孔２７の孔の形は円形をしている。この形状で目印をつけることで、作業者は仮止めの際にネジを螺入する場所を見分けることができる。さらに、固定リング１１の内側には、切断面がＬ字型の取付ガイド２０が、厚肉部１６から突出して設けられている。
【００３６】
図７は、本発明の実施例２における固定リング１１の切断部端面図である。図７のいずれの図も、左方は固定リング１１の外側、右方は固定リング１１の内側となっている。図７(ａ)は、図６のＣ−Ｃ線における切断部端面図を、図７（ｂ）は、Ｄ−Ｄ線における切断端面図を、図７（ｃ）は、Ｅ−Ｅ線における切断端面図を、図７（ｄ）は、Ｆ−Ｆ線における切断端面図を示す。固定リング１１は天井板１２１の下面に目印をつける際も天井板１２１の上面に固定する際も、取付面２２を天井板１２１に接するようにして用いられる。
【００３７】
図７（ａ）に示すように、固定リング１１のＣ−Ｃ線の部分では底板１５の内側に内側側壁１３が立設され、外側に外側側壁１４が立設された構造を有している。また、図７（ｂ）に示すようにＤ−Ｄ線の部分では、底板１５に固定目安孔２７が形成されている。図７（ｃ）に示すように、Ｅ−Ｅ線の部分では厚肉部１６の中心を貫いてネジ固定孔１７が設けられており、ネジ固定孔１７の両端部はテーパー状に形成されている。さらに、厚肉部１６には取付ガイド２０が設けられている。取付ガイド２０は厚肉部１６から固定リング１１の内側へ突出してから曲折しており、固定リング１１の取付面２２を越えて下方へ突出する突出部２１を有している。突出部２１の厚肉部１６側の面には天井穴内面１２３が当接して(図８、図９)、固定リング１１が天井穴１２２に対し位置決めされる。さらに図７（ｄ）に示すように、固定リング１１のＦ−Ｆ線の部分は内側側壁１３と外側側壁１４だけで構成されており、間は底板１５がない開口となっている。
【００３８】
＜固定リング１１による取り付け＞
図８は、本発明の実施例２における固定リング１１を天井板１２１に固定する工程を示す図である。図８（ａ）は、本発明の実施例２における固定リング１１を使用してネジを螺入する目安となる目印をつける工程の断面図であり、図８（ｂ）は固定リング１１を天井板１２１の上部へ挿入する工程を示す図であり、図８（ｃ）は固定リング１１を天井板１２１に仮止めする工程を示す図である。図８（ａ）、図８（ｃ）では固定リング１１と天井板１２１を断面図で記載している。
【００３９】
固定リング１１を取り付ける際には、まず、天井板１２１に円形の天井穴１２２を空ける。天井穴１２２の直径は、突出部２１が接する大きさである。そして、図８（ａ）に示されているように、室内から取付面２２が天井板１２１に接するように固定リング１１を押しつける。その際に突出部２１を天井穴１２２に差し込んで天井穴内面１２３に当接させる。この当接により天井穴１２２と同心円状の位置に固定リング１１が配置される。そして、固定目安孔２７と仮止め目安孔２８に筆記具１４１の先端を挿入して天井板１２１に目印をつける。図８（ａ）における固定リング１１は、仮止め目安孔２８の位置を通過するＧ−Ｇ線での断面である。四角い仮止め目安孔２８では四角い目印が天井板１２１につけられる。また、丸い固定目安孔２７の位置では丸い目印が天井板１２１につけられる。目印をつける時、作業者は固定リング１１が動かないように注意しなければならないが、突出部２１が天井穴１２２に嵌っているために固定リング１１がずれにくく、作業しやすい。
【００４０】
固定目安孔２７と仮止め目安孔２８により目印をつけ終えた後、開放部１２を利用して図８（ｂ）のように固定リング１１を天井穴１２２から天井板１２１の上部へ挿入する。固定リング１１の直径は天井穴１２２よりも大きいが、開放部１２があるために天井穴１２２を通して天井板１２１の上側に挿入することができる。そして、天井板１２１の上では突出部２１が下方となる方向に固定リング１１を向けて、突出部２１を天井穴１２２に嵌め込む。その結果、突出部２１が天井穴内面１２３と当接して、固定リング１１は天井穴１２２と同心円状の位置に配置される。
【００４１】
複数の取付ガイド２０のなかで２つの突出部２１の表面には、図８（ａ）に示すように厚肉部１６の形と同様である四角い形状の仮止めマーク２３が設けられている。そこで、天井板１２１の上方から取り付けた固定リング１１を水平に回転させ、仮止めマーク２３を天井板１２１に付与した四角い目印の方向に合わせる。そうすると、仮止めの四角い目印の真上に、天井板１２１を挟んで仮止め孔１８が配置される。この状態で、図８（ｃ）のように四角い目印の場所に仮止めネジ３２を螺入し、天井板１２１を貫通させて、固定リング１１の仮止め孔１８に螺入する。この作業を２カ所の四角い目印で行うことにより、固定リング１１は天井板１２１の上面に仮止めされる。この際、ネジ固定孔１７および仮止め孔１８は点対称に配置されているため、１８０度回転して取り付けることもできる。固定リング１１は樹脂製であり、仮止めネジ３２のネジ山により仮止め孔１８の内部が変形してネジ止めすることができる。
【００４２】
その後、実施例１と同様にスプリンクラヘッド１１１と取付プレート１０１とを接続し、取付プレート１０１の４つのネジ孔１０３を天井板１２１下面の丸い目印に位置合わせした後に、ネジ孔１０３の全てに固定ネジ３１を螺入して、スプリンクラヘッド１１１の固定作業が終了する。図９は、本発明の実施例２における固定リング１１を用いて、スプリンクラヘッド１１１を天井板１２１に固定した状態を示す図である。取付プレート１０１の固定は、取付プレート１０１の外周部と固定リング１１の間に、天井穴１２２周囲の天井板１２１を挟み込むことによってなされる。このとき、取付プレート１０１は固定ネジ３１を介して固定リング１１に固定され、固定リング１１は取付面２２全体が接するリング状の広い面積で天井板１２１に支えられるので、スプリンクラヘッド１１１を十分な強度で天井板１２１に取り付けることができる。このように取り付けることにより、実施例１と同様にスプリンクラヘッド１１１からの消火薬剤の放出時や地震の時などにおいて、天井板１２１が割れにくい。
【００４３】
実施例１の固定リング１では、図３（ｂ）に示されている厚肉部６に形成されたネジ固定孔７及び仮止め孔８を用いて目印をつけるため、図４（ａ）のように筆記具の芯を伸ばすなどして作業をする必要があった。一方、実施例２では、図７（ｂ）に示すように、固定目安孔２７と仮止め目安孔２８が薄い底板１５に設けられているため、孔が浅くなっている。これにより、作業者が目印をつける際に、図８（ａ）に示すように筆記具１４１の先端が固定目安孔２７及び仮止め目安孔２８を通過して天井板１２１に届きやすくなるため、作業しやすい。実施例２は実施例１と比べると、固定目安孔２７と仮止め目安孔２８、仮止めマーク２３、取付ガイド２０を有しているため、天井板１２１に目印をつけやすく、目印をつける際と仮止めの際に固定リング１１の位置決めを行いやすい。
【００４４】
＜固定リング１１の一部を切り離した使用＞
天井板１２１の上側には一般的に野縁等の部材が配置されているが、これらの部材が障害となり、実施例１の固定リング１では取り付けることができない場合がある。実施例２の固定リング１１はこのような場合にも使用することができる。図７（ｄ）に示したように図６のＦ−Ｆ線の部分は底板１５がなく、内側側壁１３と外側側壁１４だけで構成されている。底板１５がない部分は切り離し用の開口となっており、内側側壁１３と外側側壁１４を切断することによって、固定リング１１の一部を容易に切り離すことができる。固定リング１１を天井板１２１の上側に取り付けようとした時に、一部が野縁に当たって取り付けられない場合には、ニッパ等で図６のＦ−Ｆ線の部分を切断する。そうすると、短い固定リングが得られるため、野縁を避けて仮止めすることができる。短い固定リングの仮止めの際には、図６右上の仮止め孔１８と左上の第二仮止め孔１９の２カ所を用いることができる。そして、３ヶ所のネジ固定孔１７を用いて取付プレート１０１を天井板１２１に固定する。また、野縁の場所に相当する残ったネジ孔１０３については、固定ネジ３１を野縁に螺入することで固定することができる。このように、固定リング１１を切り離して用いる場合にも、基本的には上記のように仮止めと取付プレート１０１の固定を行う。ただし、ネジ固定孔１７、仮止め孔１８、第二仮止め孔１９の内部構造は全て同じであるため、どの孔を固定リング１１の仮止めに用いどの孔を取付プレート１０１の天井板１２１への取り付けに用いるかは、作業者が適宜決めることができる。
【００４５】
上記の実施例１，２ではネジ固定孔７と仮止め孔８の内面にネジ構造を有していないが、ネジ固定孔７と仮止め孔８に雌ネジを形成してもよい。また、仮止めをネジで行う代わりに、他の手段で仮止めしてもよい。
また、上記の実施例１，２は樹脂で形成されているが、他の材質で形成しても良い。
さらに、本発明の固定リングは、天井穴に取付プレートを設置する場合に好適であるが、天井板や天井板以外の板に空けた穴に部材を取り付ける際に使用することができる。
【符号の説明】
【００４６】
１  固定リング、２  開放部、３  内側側壁、４  外側側壁、５  中板、６  厚肉部、７  ネジ固定孔、８  仮止め孔、１１  固定リング、１２  開放部、１３  内側側壁、１４  外側側壁、１５  底板、１６  厚肉部、１７  ネジ固定孔、１８  仮止め孔、１９  第二仮止め孔、２０  取付ガイド、２１  突出部、２２  取付面、２３  仮止めマーク、２７  固定目安孔、２８  仮止め目安孔、３１  固定ネジ、３２  仮止めネジ、１０１  取付プレート、１０２  取付口、１０３  ネジ孔、１０４  テーパー部、１１１  スプリンクラヘッド、１１２  雄ネジ、１１３  顎部、１１４  ナット、１１５  配管、１２１  天井板、１２２  天井穴、１２３  天井穴内面、１３１  木片、１４１  筆記具
【図１】
0006670627.tif 000002
【図２】
0006670627.tif 000003
【図３】
0006670627.tif 000004
【図４】
0006670627.tif 000005
【図５】
0006670627.tif 000006
【図６】
0006670627.tif 000007
【図７】
0006670627.tif 000008
【図８】
0006670627.tif 000009
【図９】
0006670627.tif 000010